(57)【要約】【課題】部品点数の増加を抑えた簡素な構成で、車内へ透過する透過音を抑制できる自動車１の遮音構造を提供することを目的とする。【解決手段】自動車１の車体底部２とフロアカーペット８との間に介在する吸音部材７とを備えた自動車１の遮音構造であって、車体底部２が、車外騒音の透過に対して不利な遮音性不利部分Ｘ１と、遮音性不利部分Ｘ１の周囲に隣接するとともに、遮音性不利部分Ｘ１に比べて遮音性が有利な遮音性有利部分Ｙ１とで構成され、車体底部２とフロアカーペット８との間に、遮音性不利部分Ｘ１、及びフロアカーペット８の間に配置した吸音部材７と、遮音性有利部分Ｙ１、及びフロアカーペット８を連結するとともに、車体底部２、及びフロアカーペット８の間を略密閉するクロスメンバ５と、吸音部材７、及びクロスメンバ５に隣接するとともに、吸音部材７、及びクロスメンバ５で包囲された遮音空間Ｓ２とを備えたことを特徴とする。【選択図】図２
2017159675.tif 000002
【特許請求の範囲】
【請求項１】
自動車の車内と車外とを隔てる隔壁部材と、
該隔壁部材に対して車内側に所定間隔を隔てて配置された内装部材と、
前記隔壁部材、及び前記内装部材の間に介在する吸音部材とを備えた自動車の遮音構造であって、
前記隔壁部材が、
車外騒音の透過に対して不利な遮音性不利部分と、
該遮音性不利部分の周囲に隣接するとともに、前記遮音性不利部分に比べて遮音性が有利な遮音性有利部分とで構成され、
前記隔壁部材と前記内装部材との間に、
前記遮音性不利部分、及び前記内装部材の間に配置した前記吸音部材と、
前記遮音性有利部分、及び前記内装部材を連結するとともに、前記隔壁部材、及び前記内装部材の間を略密閉する密閉連結部と、
前記吸音部材、及び前記密閉連結部に隣接するとともに、前記吸音部材、及び前記密閉連結部で包囲された所定空間とを備えた
自動車の遮音構造。
【請求項２】
前記隔壁部材の前記遮音性有利部分を、
前記車内と前記車外とを隔てるパネル部材と、
該パネル部材に対して車内側または／および車外側へ離間した平面を有するとともに、前記パネル部材に接合されて閉断面形状をなす突設部材とで構成した
請求項１に記載の自動車の遮音構造。
【請求項３】
前記密閉連結部が、
自動車の内外方向において、前記吸音部材の長さよりも長い形状に形成され、
前記内装部材が、
前記吸音部材に当接する内装当接部と、
前記密閉連結部に装着固定される内装装着部と、
前記内装当接部及び前記内装装着部を連結するとともに、前記密閉連結部に対して所定間隔だけ離間した内装側壁部とで一体形成された
請求項１または請求項２に記載の自動車の遮音構造。
【請求項４】
前記内装側壁部を、
前記内装当接部、及び前記内装装着部に対して略鉛直に配置した
請求項３に記載の自動車の遮音構造。
【請求項５】
前記隔壁部材を、自動車の車体底部とし、
前記内装部材を、フロアカーペットとして、
前記所定空間内に、通気性、及び弾性を有するスペーサを配置した
請求項１から請求項４のいずれか１つに記載の自動車の遮音構造。
【発明の詳細な説明】
【技術分野】
【０００１】
この発明は、例えば車両の床面から車内へ伝わる騒音を遮音するような自動車の遮音構造に関する。
【背景技術】
【０００２】
走行中の自動車における車外で生じる騒音としては、路面とタイヤとの摺動による騒音、内燃機関や変速機から放射される騒音、あるいは車外を流動する走行風によって生じる騒音などがある。
【０００３】
このような車外で生じた騒音が、例えば車両の床面を構成するフロアパネルを介して透過音として車内へ伝達された場合、透過音によって乗員に対する快適性が低下するおそれがある。このため、自動車には、透過音を抑制できる高い遮音性が求められている。
【０００４】
そこで、例えば、特許文献１では、車両の床面を構成する鋼製車両床板に対して、ウレタン層と、下部マス層と、低弾性ウレタン層と、上部マス層と、カーペットとを、車両下方からこの順番で重ね合わせた遮音構造が開示されている。  
これにより、特許文献１は、２自由度系の遮音構造を構成することができ、１自由度系の遮音構造よりも高い遮音性を確保できるとされている。
【０００５】
また、特許文献２では、車両下方に凹設した凹部を有するフロアパネルに対して、凹部に配置されるスペーサと、吸音フェルト材と、遮音シート体と、吸音フェルト材と、表皮材とを、車両下方からこの順番で重ね合わせた多層構造のカーペットが敷設されている。
【０００６】
これにより、特許文献２では、フロアパネルに凹部を有する場合であっても、踏込み荷重に対する沈み込み量を一様にできるとともに、車外で生じた騒音に対しても良好な遮音性を確保できるとされている。
【０００７】
しかしながら、特許文献１、及び特許文献２のように、吸音部材や遮音部材を複数重ね合わせた多層遮音構造の場合、遮音にかかる部品点数が多くなるため、車両の重量やコストが増加するおそれがあった。
【先行技術文献】
【特許文献】
【０００８】
【特許文献１】特開２００３−１０４１３５号公報
【特許文献２】特開２００８−２８５０２６号公報
【発明の概要】
【発明が解決しようとする課題】
【０００９】
本発明は、上述の問題に鑑み、部品点数の増加を抑えた簡素な構成で、車内へ透過する透過音を抑制できる自動車の遮音構造を提供することを目的とする。
【課題を解決するための手段】
【００１０】
この発明は、自動車の車内と車外とを隔てる隔壁部材と、該隔壁部材に対して車内側に所定間隔を隔てて配置された内装部材と、前記隔壁部材、及び前記内装部材の間に介在する吸音部材とを備えた自動車の遮音構造であって、前記隔壁部材が、車外騒音の透過に対して不利な遮音性不利部分と、該遮音性不利部分の周囲に隣接するとともに、前記遮音性不利部分に比べて遮音性が有利な遮音性有利部分とで構成され、前記隔壁部材と前記内装部材との間に、前記遮音性不利部分、及び前記内装部材の間に配置した前記吸音部材と、前記遮音性有利部分、及び前記内装部材を連結するとともに、前記隔壁部材、及び前記内装部材の間を略密閉する密閉連結部と、前記吸音部材、及び前記密閉連結部に隣接するとともに、前記吸音部材、及び前記密閉連結部で包囲された所定空間とを備えたことを特徴とする。
【００１１】
上記隔壁部材は、例えば、ダッシュパネルや床面などの車体下面、ドアやフェンダーなどの車体側面、あるいはボンネットやルーフなど車体上面を構成する部材とすることができる。  
上記内装部材は、例えば、フロアカーペットのような柔軟性を有する部材、あるいは合成樹脂製のトリムのような剛性を有する部材などとすることができる。
【００１２】
上記吸音部材は、例えば、発泡ウレタン製、繊維材を絡めて形成したフェルト製などとすることができる。なお、吸音部材の厚みは、２０ｍｍ以下であることが好ましい。  
上記密閉連結部は、隔壁部材とは別体で構成する、隔壁部材に一体的に形成する、あるいは内装部材に一体的に形成することができる、さらに、密閉連結部は、隔壁部材の遮音性有利部分を構成する部材を兼ねることができる。
【００１３】
この発明により、部品点数の増加を抑えた簡素な構成で、車内へ透過する透過音を抑制することができる。  
具体的には、隔壁部材の遮音性有利部分と内装部材との間に所定空間が介在するため、自動車の遮音構造は、遮音性有利部分を介して内装部材に伝達される空気振動を、所定空間の空気バネ効果によって抑制することができる。
【００１４】
さらに、隔壁部材の遮音性不利部分と内装部材との間に吸音部材を配置したことにより、自動車の遮音構造は、遮音性不利部分を介して内装部材に伝達される空気振動を、吸音部材の吸音効果によって抑制することができる。
【００１５】
この際、吸音部材は、車外と車内とを結ぶ所定の方向である内外方向に対して交差する方向に空気振動を拡散することができる。そして、吸音部材に隣接して所定空間が配置されているため、自動車の遮音構造は、吸音部材で偏向されて所定空間に伝達された空気振動を、所定空間の空気バネ効果によって抑制することができる。
【００１６】
これにより、自動車の遮音構造は、遮音性不利部分を介して内装部材に伝達される空気振動を、吸音部材の吸音効果と、吸音部材による空気振動の拡散と、所定空間の空気バネ効果との相乗効果によって安定して抑制することができる。
【００１７】
このため、自動車の遮音構造は、遮音性不利部分に対応する範囲の透過損失の向上を図ることができるとともに、遮音性有利部分に対応する範囲の透過損失との差を小さくすることができる。  
従って、自動車の遮音構造は、部品点数の増加を抑えた簡素な構成で、車内へ透過する透過音を抑制でき、特に隔壁部材の遮音性不利部分に対応する範囲の遮音性を向上することができる。
【００１８】
この発明の態様として、前記隔壁部材の前記遮音性有利部分を、前記車内と前記車外とを隔てるパネル部材と、該パネル部材に対して車内側または／および車外側へ離間した平面を有するとともに、前記パネル部材に接合されて閉断面形状をなす突設部材とで構成することができる。
【００１９】
上記突設部材は、例えば車体を構成するサイドフレームやサイドシル、あるいは車体を補強するクロスメンバなどとすることができる。なお、突設部材の断面形状は、パネル部材とで閉断面形状をなす断面形状であればよく、例えば、断面略ハット状の突設部材、あるいは断面略ハット状の内部がハニカム構造に形成された突設部材などとすることができる。
【００２０】
この発明により、自動車の遮音構造は、突設部材のマス効果と、突設部材及びパネル部材で包囲された内部空間の空気バネ効果とによって、内装部材に伝達される空気振動を抑制することができる。  
これにより、自動車の遮音構造は、部品点数の増加を抑えた簡素な構成で、隔壁部材の遮音性有利部分に対応する範囲の遮音性を向上することができる。
【００２１】
またこの発明の態様として、前記密閉連結部が、自動車の内外方向において、前記吸音部材の長さよりも長い形状に形成され、前記内装部材が、前記吸音部材に当接する内装当接部と、前記密閉連結部に装着固定される内装装着部と、前記内装当接部及び前記内装装着部を連結するとともに、前記密閉連結部に対して所定間隔だけ離間した内装側壁部とで一体形成された構成とすることができる。  
上記内外方向は、車外と車内とを結ぶ所定の方向であって、例えば、車両上下方向、車両前後方向、あるいは車幅方向などとすることができる。
【００２２】
この発明により、自動車の遮音構造は、部品点数の増加を抑えた簡素な構成で、車内へ透過する透過音をより抑制することができる。  
具体的には、内外方向における吸音部材の長さよりも長い長さを有する密閉連結部と、密閉連結部に対して離間した内装側壁部を有する内装部材とにより、自動車の遮音構造は、吸音部材に隣接する所定空間を車内側へ拡張することができる。
【００２３】
このため、自動車の遮音構造は、内装部材の内装側壁部が密閉連結部に密着する構成に比べて、隔壁部材、内装部材、及び密閉連結部で包囲された空間の体積を大きく確保することができる。
【００２４】
そして、隔壁部材、内装部材、及び密閉連結部で包囲された空間の体積が大きいほど、隔壁部材と内装部材とで生じる共鳴透過現象の共鳴透過周波数を低くできることが出願人によって確認されている。つまり、自動車の遮音構造は、共鳴透過現象の共鳴透過周波数を低くできるとともに、共鳴透過周波数よりも高周波側における透過損失の向上を図ることができる。
【００２５】
さらに、例えば、吸音部材が密閉連結部に密着し、吸音部材の車内側に所定空間が隣接する場合、自動車の遮音構造は、共鳴透過周波数域における透過損失の低下を、吸音部材によって抑制することができる。  
従って、自動車の遮音構造は、所定空間の体積を大きくしたことで、部品点数の増加を抑えた簡素な構成で、車内へ透過する透過音をより抑制することができる。
【００２６】
またこの発明の態様として、前記内装側壁部を、前記内装当接部、及び前記内装装着部に対して略鉛直に配置することができる。  
この発明により、自動車の遮音構造は、内装部材と密閉連結部とによって略矩形に包囲された所定空間を形成することができる。
【００２７】
これにより、自動車の遮音構造は、内装当接部、及び内装装着部に交差するように内装側壁部を配置した場合に比べて、より大きな体積の所定空間を確保できるとともに、所定空間の空気ばね効果をより大きくすることができる。このため、自動車の遮音構造は、遮音性有利部分を介して内装部材に伝達される空気振動をより確実に抑制することができる。
【００２８】
加えて、内装装着部と遮音性有利部分とが対向するため、自動車の遮音構造は、内装装着部と遮音性有利部分との間隔を大きく確保でき、内装装着部と遮音性有利部分とで生じる共鳴透過現象の共鳴透過周波数をより低くすることができる。これにより、自動車の遮音構造は、遮音性有利部分に対応する範囲の遮音性をより向上することができる。
【００２９】
従って、自動車の遮音構造は、内装当接部、及び内装装着部に対して略鉛直に内装側壁部を配置したことにより、車内へ透過する透過音をより安定して抑制することができる。
【００３０】
またこの発明の態様として、前記隔壁部材を、自動車の車体底部とし、前記内装部材を、フロアカーペットとして、前記所定空間内に、通気性、及び弾性を有するスペーサを配置することができる。  
上記スペーサは、例えば、弾性を有する多孔質の発泡ウレタンなどすることができ、内装部材に当接しない状態で配置される、あるいは内装部材に当接する状態で配置することができる。
【００３１】
この発明により、自動車の遮音構造は、フロアカーペットのクッション性の確保と、車内へ透過する透過音の抑制とを両立することができる。  
具体的には、車体床面とフロアカーペットとの間に所定空間が介在すると、フロアカーペットのクッション性が部分的に低くなる。このため、フロアカーペットを乗員が踏みつけた際、所定空間に対応する範囲のフロアカーペットが型崩れして、乗員に違和感を与えるおそれがあった。
【００３２】
そこで、通気性、及び弾性を有するスペーサを所定空間に備えたことで、自動車の遮音構造は、フロアカーペットを乗員が踏みつけた際、スペーサによってフロアカーペットを弾性支持することができる。これにより、自動車の遮音構造は、フロアカーペットの型崩れを防止するとともに、乗員に違和感を与えることを防止することができる。
【００３３】
さらに、所定空間にスペーサを配置することで、自動車の遮音構造は、所定空間の空気ばね効果、及びスペーサの吸音効果によって、遮音性有利部分に対応する範囲における遮音性を向上することができる。
【００３４】
従って、自動車の遮音構造は、所定空間に配置したスペーサにより、フロアカーペットのクッション性の確保と、車内へ透過する透過音の抑制とを両立することができる。
【発明の効果】
【００３５】
本発明により、部品点数の増加を抑えた簡素な構成で、車内へ透過する透過音を抑制できる自動車の遮音構造を提供することができる。
【図面の簡単な説明】
【００３６】
【図１】自動車における車体底部の平面視を示す平面図。
【図２】図１中のＡ−Ａ矢視断面図。
【図３】密閉空間の体積と共鳴透過現象の共鳴透過周波数との関係を説明する説明図。
【図４】本実施形態における遮音構造の効果を説明する説明図。
【図５】実施例２における車体底部のＡ−Ａ矢視断面図。
【図６】別の実施形態における車体底部のＡ−Ａ矢視断面図。
【発明を実施するための形態】
【００３７】
この発明の一実施形態を以下図面と共に説明する。  
【実施例１】
【００３８】
なお、図１は自動車１における車体底部２の平面図を示し、図２は図１中のＡ−Ａ矢視断面図を示し、図３は密閉空間Ｓ１の体積と共鳴透過現象の共鳴透過周波数との関係を説明する説明図を示し、図４は本実施形態における遮音構造の効果を説明する説明図を示している。
【００３９】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図２中の上方を車両上方とし、図中の下方を車両下方とする。
【００４０】
自動車１の車外で生じた騒音が、車外と車内とを隔てる車体底部２を介して、車内へ透過することを抑制する自動車１の遮音構造について、図１から図４を用いて詳しく説明する。  
まず、自動車１の車体底部２は、図１に示すように、例えば、車両前後方向に延びる左右一対のサイドシル３と、自動車１の床面であるフロアパネル４と、フロアパネル４の上面に配設した二組のクロスメンバ５とで構成している。
【００４１】
サイドシル３は、詳細な図示を省略するが、車幅方向に沿った縦断面における断面形状が、閉断面形状をなすように形成している。  
フロアパネル４は、左右一対のサイドシル３の間における車幅方向略中央において、車両前後方向に延びるフロアトンネル部４ａを有する形状に形成している。なお、本実施形態におけるフロアパネル４は、車両前部に位置するダッシュパネル部４ｂから車両後部に位置するリヤフロアパネル部４ｃに至る範囲における床面を構成するパネル部材とする。
【００４２】
二組のクロスメンバ５は、フロアトンネル部４ａを挟んで左右のサイドシル３を連結する左右一対を一組として、車両前後方向に所定間隔を隔てた位置に配設している。  
より詳しくは、二組のクロスメンバ５のうち、車両前方側のクロスメンバ５は、車両前後方向におけるサイドシル３の略中央と略同位置において、フロアトンネル部４ａを挟んで左右のサイドシル３を連結している。  
一方、車両後方側のクロスメンバ５は、車両前後方向におけるサイドシル３の後端近傍と略同位置において、フロアトンネル部４ａを挟んで左右のサイドシル３を連結している。
【００４３】
このクロスメンバ５は、図１及び図２に示すように、車両前後方向に沿った縦断面における断面形状が断面略ハット状で、車幅方向に延びる形状に形成している。さらに、クロスメンバ５の上面５ａには、樹脂クリップ６が嵌合する嵌合孔（図示省略）を開口形成している。
【００４４】
このような車体底部２に対する遮音構造は、図２に示すように、車体底部２、車体底部２におけるフロアパネル４の上面に敷設された吸音部材７、吸音部材７の上面に敷設されたフロアカーペット８、及びクロスメンバ５とフロアカーペット８との間に介在する吸音スペーサ９で構成している。
【００４５】
吸音部材７は、車体底部２におけるサイドシル３、及びクロスメンバ５を除く部分、すなわちフロアパネル４の上面を覆う大きさで形成されている。  
一方、フロアカーペット８は、車体底部２を一体的に覆う大きさで、車体底部２の凹凸に対応する立体形状に形成している。このフロアカーペット８は、少なくともサイドシル３の上面、及びクロスメンバ５の上面５ａに対して、樹脂クリップ６を用いて装着固定されている。
【００４６】
引き続き、自動車１の遮音構造について説明するが、説明を容易にするため、図１及び図２に示すように、二組のクロスメンバ５で囲われた範囲における遮音構造を、車両前後方向に沿った縦断面における断面形状で説明する。なお、車幅方向に沿った縦断面における断面形状は、吸音部材７、及びフロアカーペット８がフロアトンネル部４ａに沿った形状に形成されている点、並びにフロアカーペット８がサイドシル３の上面に装着固定される点を除いて、車幅方向に沿った縦断面における断面形状と略同一構造のため、その詳細な説明を省略する。
【００４７】
まず、車体底部２は、図２に示すように、車外で発生した騒音の透過に対して不利な部分である遮音性不利部分Ｘ１と、遮音性不利部分Ｘ１に比べて遮音性が高い部分である遮音性有利部分Ｙ１とに区別される。
【００４８】
遮音性不利部分Ｘ１は、図２に示すように、車体底部２におけるクロスメンバ５の間に位置するフロアパネル４であって、フロアパネル４のマス効果による透過音の抑制が期待できる部分である。
【００４９】
一方、遮音性有利部分Ｙ１は、図２に示すように、フロアパネル４及びクロスメンバ５で閉断面をなす部分である。この遮音性有利部分Ｙ１は、フロアパネル４のマス効果に加えて、クロスメンバ５のマス効果、並びにフロアパネル４及びクロスメンバ５で形成された閉断面における内部空間の空気バネ効果などによる透過音の抑制が期待できる部分である。
【００５０】
吸音部材７は、所定の通気性を有するとともに、吸音性及び弾性を有する部材であって、例えば、繊維材を絡めたフェルトなどで形成されている。この吸音部材７は、図２に示すように、二組のクロスメンバ５で囲われたフロアパネル４の上面に敷設している。換言すると、吸音部材７は、遮音性有利部分Ｙ１におけるフロアパネル４、及びクロスメンバ５の接合部分に車両前後方向の両端部分が敷設されるように、遮音性不利部分Ｘ１に敷設している。
【００５１】
より詳しくは、吸音部材７は、二組のクロスメンバ５の間と略同等の車両前後方向の長さを有するとともに、クロスメンバ５における車両上下方向の長さよりも薄肉の厚みを有する略平板状に形成している。なお、吸音部材７の厚みとしては、１０ｍｍ以上２０ｍｍ以下が望ましく、本実施形態では１０ｍｍとしている。
【００５２】
また、フロアカーペット８は、図２に示すように、クロスメンバ５に対応する部分が車両上方に隆起した立体形状に形成している。さらに、フロアカーペット８は、サイドシル３、クロスメンバ５に対して樹脂クリップ６を用いて装着固定された状態において、車両前後方向に沿った縦断面、及び車幅方向に沿った縦断面の断面形状が、車体底部２とで閉断面形状をなす形状に形成している。
【００５３】
より詳しくは、フロアカーペット８は、図２に示すように、吸音部材７の上面に敷設されるカーペット底部８１と、カーペット底部８１の縁辺から車両上方に隆起したカーペット隆起部８２とで一体形成している。  
カーペット底部８１は、遮音性不利部分Ｘ１における車両前後方向の長さと略同等の車両前後方向長さを有する形状に形成している。
【００５４】
カーペット隆起部８２は、カーペット底部８１の縁端から車両上方へ延設した側壁部分８２ａと、側壁部分８２ａから延設するとともに、クロスメンバ５の上面５ａに敷設される上面部分８２ｂとで構成している。このカーペット隆起部８２は、車体底部２に装着した状態において、吸音部材７とクロスメンバ５の側面とで、車両上下方向に長い略矩形の閉断面形状をなす形状に形成している。
【００５５】
側壁部分８２ａは、クロスメンバ５の側面５ｂに対して所定間隔を隔てるとともに、クロスメンバ５の側面５ｂに対して略平行となるようにカーペット底部８１から延設している。
【００５６】
上面部分８２ｂは、遮音性有利部分Ｙ１の上面と対面するように側壁部分８２ａの上端から略水平方向へ延設するとともに、クロスメンバ５の上面５ａに当接可能に形成している。この上面部分８２ｂには、樹脂クリップ６が挿通する開口孔（図示省略）を開口形成している。
【００５７】
上述した構成のフロアカーペット８は、図３（ａ）に示すように、車体底部２に装着した状態において、車体底部２とで内部に空気層を有する略密閉された密閉空間Ｓ１を形成している。
【００５８】
そして、自動車１の遮音構造は、図２に示すように、遮音性有利部分Ｙ１に対応する範囲に、吸音部材７と、クロスメンバ５の側面５ｂと、フロアカーペット８の上面部分８２ｂ及び側壁部分８２ａとで包囲された内部中空の遮音空間Ｓ２を形成している。
【００５９】
この遮音空間Ｓ２は、クロスメンバ５の上面５ａとフロアカーペット８の上面部分８２ｂとの間における通気度が５．５ｃｃ／（ｃｍ＾２・ｓ）以下で、かつ吸音部材７の上面とフロアカーペット８との間における通気度が５．５ｃｃ／（ｃｍ＾２・ｓ）以上、吸音部材７の通気度以下となるように略密閉された空間である。
【００６０】
また、吸音スペーサ９は、図２に示すように、フロアカーペット８のカーペット隆起部８２と、クロスメンバ５の側面５ｂと、吸音部材７とで囲われた包囲部分である遮音空間Ｓ２内において、吸音部材７の上面に載置している。
【００６１】
この吸音スペーサ９は、例えば、発泡ウレタンなどの合成樹脂製で、通気性、及び弾性を有する略角柱状に形成している。さらに、吸音スペーサ９は、吸音部材７に載置された状態において、吸音部材７、カーペット隆起部８２の内面、及びクロスメンバ５の側面５ｂに密着する大きさに形成している。
【００６２】
そして、吸音スペーサ９は、吸音部材７の上面とフロアカーペット８との間における通気度が、クロスメンバ５の上面５ａとフロアカーペット８の上面部分８２ｂとの間における通気度以上、吸音部材７の通気度以下、すなわち５．５ｃｃ／（ｃｍ＾２・ｓ）以上、吸音部材７の通気度以下となるように構成されている。
【００６３】
次に、上述した構成の自動車１の遮音構造における効果について、図３及び図４を用いて説明する。  
まず、車体底部２とフロアカーペット８とで形成された密閉空間Ｓ１の体積と、共鳴透過現象の共鳴透過周波数との関係について、図３を用いて説明する。なお、図３（ａ）に示すように、車体底部２とフロアカーペット８との間には、吸音部材７を配置せず空気層のみが介在するものとする。
【００６４】
また、図３（ｂ）に示すように、フロアパネル４の上面とカーペット底部８１の下面との間隔を１０ｍｍとし、クロスメンバ５の側面５ｂと、フロアカーペット８における側壁部分８２ａの内面との間隔を間隔Ｌとして、間隔Ｌの異ならせることで、密閉空間Ｓ１の体積を異ならせている。
【００６５】
このような状態において、自動車１の車外で生じた騒音に相当する放射音をフロアパネル４の車両下方から放射した際、車内へ透過した透過音を計測して透過損失を算出した結果を図３（ｃ）に示す。なお、図３（ｃ）は、横軸が周波数で、縦軸が透過損失を示し、透過損失が大きいほど車内の静寂性が高いものとする。
【００６６】
まず、間隔Ｌが０ｍｍの場合、すなわち、クロスメンバ５の側面５ｂとフロアカーペット８の側壁部分８２ａとが密着している場合、図３（ｃ）中の細い破線で示すように、５００Ｈｚよりも高い周波数ｆ１において、共鳴透過現象による透過損失の低下が確認できる。
【００６７】
そして、間隔Ｌが５ｍｍの場合、図３（ｃ）中の実線で示すように、共鳴透過現象の共鳴透過周波数が、周波数ｆ１よりも低い周波数ｆ２に移動するだけでなく、透過損失にも僅かな向上が確認できる。
【００６８】
さらに、間隔Ｌが２０ｍｍの場合、図３（ｃ）中の太線で示すように、共鳴透過現象の共鳴透過周波数が、周波数ｆ１、及び周波数ｆ２よりも低く、かつ５００Ｈｚよりも低い周波数ｆ３に移動している。
【００６９】
加えて、周波数ｆ３よりも高い周波数域における透過損失が、間隔Ｌが０ｍｍの場合の透過損失、及び５ｍｍの場合の透過損失に比べて向上していることが確認できる。  
よって、車体底部２とフロアカーペット８とで形成された密閉空間Ｓ１の体積が大きいほど、共鳴透過現象の共鳴透過周波数が低くなることが確認できた。
【００７０】
このような効果を奏する形状のフロアカーペット８と車体底部２との間に、吸音部材７、及び吸音スペーサ９を配置した状態において、車外で生じた騒音がフロアパネル４を介して車内へ透過した際の透過損失を計測した結果を図４に示す。なお、クロスメンバ５の側面５ｂとフロアカーペット８の側壁部分８２ａとが密着した状態の結果を比較例として細い破線で示している。
【００７１】
上述した構成の遮音構造としたことで、自動車１の遮音構造は、図４に示すように、比較例における共鳴透過周波数である周波数ｆ１に比べて、共鳴透過現象の共鳴透過周波数ｆ４が低く、かつ共鳴透過周波数ｆ４における透過損失の低下が抑制された結果を得ることができた。さらに、共鳴透過周波数域を除く周波数域において、比較例の透過損失に比べて透過損失の向上が見られ、比較例に比べて良好な結果を得ることができた。
【００７２】
以上のような構成の自動車１の遮音構造は、部品点数の増加を抑えた簡素な構成で、車内へ透過する透過音を抑制することができる。  
具体的には、車体底部２の遮音性有利部分Ｙ１とフロアカーペット８との間に遮音空間Ｓ２が介在するため、自動車１の遮音構造は、遮音性有利部分Ｙ１を介してフロアカーペット８に伝達される空気振動を、遮音空間Ｓ２の空気バネ効果によって抑制することができる。
【００７３】
さらに、車体底部２の遮音性不利部分Ｘ１とフロアカーペット８との間に吸音部材７を配置したことにより、自動車１の遮音構造は、遮音性不利部分Ｘ１を介してフロアカーペット８に伝達される空気振動を、吸音部材７の吸音効果によって抑制することができる。
【００７４】
この際、吸音部材７は、車両上下方向に対して交差する方向に空気振動を拡散することができる。そして、吸音部材７に隣接して遮音空間Ｓ２が配置されているため、自動車１の遮音構造は、吸音部材７で偏向されて遮音空間Ｓ２に伝達された空気振動を、遮音空間Ｓ２の空気バネ効果によって抑制することができる。
【００７５】
これにより、自動車１の遮音構造は、遮音性不利部分Ｘ１を介してフロアカーペット８に伝達される空気振動を、吸音部材７の吸音効果と、吸音部材７による空気振動の拡散と、遮音空間Ｓ２の空気バネ効果との相乗効果によって安定して抑制することができる。
【００７６】
このため、自動車１の遮音構造は、遮音性不利部分Ｘ１に対応する範囲の透過損失の向上を図ることができるとともに、遮音性有利部分Ｙ１に対応する範囲の透過損失との差を小さくすることができる。  
従って、自動車１の遮音構造は、部品点数の増加を抑えた簡素な構成で、車内へ透過する透過音を抑制でき、特に車体底部２の遮音性不利部分Ｘ１に対応する範囲の遮音性を向上することができる。
【００７７】
また、フロアパネル４と、フロアパネル４に接合されて閉断面形状をなすクロスメンバ５とで、車体底部２の遮音性有利部分Ｙ１を構成したことにより、自動車１の遮音構造は、クロスメンバ５のマス効果と、クロスメンバ５及びフロアパネル４で包囲された内部空間の空気バネ効果とによって、フロアカーペット８に伝達される空気振動を抑制することができる。  
これにより、自動車１の遮音構造は、部品点数の増加を抑えた簡素な構成で、車体底部２の遮音性有利部分Ｙ１に対応する範囲の遮音性を向上することができる。
【００７８】
また、クロスメンバ５に対して所定間隔だけ離間した側壁部分８２ａを有するフロアカーペット８により、自動車１の遮音構造は、部品点数の増加を抑えた簡素な構成で、車内へ透過する透過音をより抑制することができる。
【００７９】
具体的には、車両上下方向における吸音部材７の長さよりも長い長さを有するクロスメンバ５と、クロスメンバ５に対して離間した側壁部分８２ａを有するフロアカーペット８とにより、自動車１の遮音構造は、吸音部材７に隣接する遮音空間Ｓ２を車内側へ拡張することができる。
【００８０】
このため、自動車１の遮音構造は、フロアカーペット８の側壁部分８２ａがクロスメンバ５に密着する構成に比べて、密閉空間Ｓ１の体積を大きく確保することができる。
【００８１】
そして、密閉空間Ｓ１の体積が大きいほど、車体底部２とフロアカーペット８とで生じる共鳴透過現象の共鳴透過周波数を低くできることが出願人によって確認されている。つまり、自動車１の遮音構造は、共鳴透過現象の共鳴透過周波数を低くできるとともに、共鳴透過周波数よりも高周波側における透過損失の向上を図ることができる。
【００８２】
さらに、吸音部材７がクロスメンバ５に密着し、吸音部材７の車内側に遮音空間Ｓ２が隣接するため、自動車１の遮音構造は、共鳴透過周波数域における透過損失の低下を、吸音部材７によって抑制することができる。  
従って、自動車１の遮音構造は、遮音空間Ｓ２の体積を大きくしたことで、部品点数の増加を抑えた簡素な構成で、車内へ透過する透過音をより抑制することができる。
【００８３】
また、カーペット隆起部８２の側壁部分８２ａを、カーペット底部８１、及びカーペット隆起部８２の上面部分８２ｂに対して略鉛直に配置したことにより、自動車１の遮音構造は、フロアカーペット８とクロスメンバ５とによって略矩形に包囲された遮音空間Ｓ２を形成することができる。
【００８４】
これにより、自動車１の遮音構造は、カーペット底部８１、及びカーペット隆起部８２の上面部分８２ｂに交差するようにカーペット隆起部８２の側壁部分８２ａを配置した場合に比べて、より大きな体積の遮音空間Ｓ２を確保できるとともに、遮音空間Ｓ２の空気ばね効果をより大きくすることができる。このため、自動車１の遮音構造は、遮音性有利部分Ｙ１を介してフロアカーペット８に伝達される空気振動をより確実に抑制することができる。
【００８５】
加えて、カーペット隆起部８２の上面部分８２ｂと遮音性有利部分Ｙ１とが対向するため、自動車１の遮音構造は、カーペット隆起部８２の上面部分８２ｂと遮音性有利部分Ｙ１との間隔を大きく確保でき、カーペット隆起部８２の上面部分８２ｂと遮音性有利部分Ｙ１とで生じる共鳴透過現象の共鳴透過周波数をより低くすることができる。これにより、自動車１の遮音構造は、遮音性有利部分Ｙ１に対応する範囲の遮音性をより向上することができる。
【００８６】
従って、自動車１の遮音構造は、カーペット底部８１、及びカーペット隆起部８２の上面部分８２ｂに対して略鉛直にカーペット隆起部８２の側壁部分８２ａを配置したことにより、車内へ透過する透過音をより安定して抑制することができる。
【００８７】
また、遮音空間Ｓ２内に吸音スペーサ９を配置したことにより、自動車１の遮音構造は、フロアカーペット８のクッション性の確保と、車内へ透過する透過音の抑制とを両立することができる。
【００８８】
具体的には、車体床面とフロアカーペット８との間に遮音空間Ｓ２が介在すると、フロアカーペット８のクッション性が部分的に低くなる。このため、フロアカーペット８を乗員が踏みつけた際、遮音空間Ｓ２に対応する範囲のフロアカーペット８が型崩れして、乗員に違和感を与えるおそれがあった。
【００８９】
そこで、通気性、及び弾性を有する吸音スペーサ９を遮音空間Ｓ２に備えたことで、自動車１の遮音構造は、フロアカーペット８を乗員が踏みつけた際、吸音スペーサ９によってフロアカーペット８を弾性支持することができる。これにより、自動車１の遮音構造は、フロアカーペット８の型崩れを防止するとともに、乗員に違和感を与えることを防止することができる。
【００９０】
さらに、遮音空間Ｓ２に吸音スペーサ９を配置することで、自動車１の遮音構造は、遮音空間Ｓ２の空気ばね効果、及び吸音スペーサ９の吸音効果によって、遮音性有利部分Ｙ１に対応する範囲における遮音性を向上することができる。
【００９１】
従って、自動車１の遮音構造は、遮音空間Ｓ２に配置した吸音スペーサ９により、フロアカーペット８のクッション性の確保と、車内へ透過する透過音の抑制とを両立することができる。
【実施例２】
【００９２】
上述した実施例１に対して、車体底部の構成が異なる自動車１の遮音構造をについて図５を用いて詳しく説明する。なお、上述した実施例１と同じ構成は、同じ符号を付してその詳細な説明を省略する。
【００９３】
また、上述の実施例１と同様、説明を容易にするために、車両前後方向に沿った縦断面における断面形状で説明する。なお、車幅方向に沿った縦断面における遮音構造は、車両前後方向に沿った縦断面の遮音構造と略同一構成のため、その詳細な説明を省略する  
また、図５は実施例２における車体底部１０のＡ−Ａ矢視断面図を示している。
【００９４】
まず、実施例２における車体底部１０は、フロアパネル４の下面に対して、車両上方が開口した断面略ハット状のクロスメンバ１１が接合されている。  
なお、クロスメンバ１１は、実施例１における樹脂クリップ６が嵌合する嵌合孔が開口形成されていない点を除いて、実施例１と略同一形状のため、その詳細な説明を省略する。
【００９５】
さらに、車体底部１０の遮音性不利部分Ｘ２は、図５に示すように、実施例１と同様に、車体底部１０におけるクロスメンバ１１の間に位置するフロアパネル４である。  
一方、遮音性有利部分Ｙ２は、図５に示すように、実施例１と同様に、フロアパネル４及びクロスメンバ１１で閉断面をなす部分である。
【００９６】
このような車体底部１０に対する遮音構造は、図５に示すように、遮音性不利部分Ｘ２に敷設された吸音部材１２と、遮音性有利部分Ｙ２に載置された密閉連結部１３と、吸音部材１２、及び密閉連結部１３に敷設されたフロアカーペット１４と、フロアパネル４の嵌合孔（図示省略）に嵌合するとともに、密閉連結部１３及びフロアカーペット１４をフロアパネル４に固定する樹脂クリップ１５で構成している。
【００９７】
吸音部材１２は、上述した実施例１と同様の構成のため、その詳細な説明を省略する。なお、吸音部材１２は、図５に示すように、遮音性有利部分Ｙ２の上面に車両前後方向の両端部分が敷設されるようにして、遮音性不利部分Ｘ２に敷設している。
【００９８】
密閉連結部１３は、図５に示すように、車両前後方向に沿った遮音性有利部分Ｙ２の長さによりも短い車両前後方向の長さを有するとともに、吸音部材１２と略同等の厚みを有する形状に形成されている。
【００９９】
この密閉連結部１３は、気密性の高い材質で、例えば合成ゴム製、あるいは金属などで形成されるとともに、遮音性有利部分Ｙ２に沿った形状に形成されているものとする。なお、密閉連結部１３には、樹脂クリップ１５が挿通する挿通孔（図示省略）が開口形成されている。
【０１００】
フロアカーペット１４は、図５に示すように、フロアパネル４に対向する略平板状に形成されている。このフロアカーペット１４は、樹脂クリップ１５によって、密閉連結部１３と一体的にフロアパネル４に装着固定されている。
【０１０１】
そして、実施例２における自動車１の遮音構造には、フロアパネル４とフロアカーペット１４との間において、吸音部材１２、及び密閉連結部１３で包囲された内部中空の遮音空間Ｓ３が形成されている。
【０１０２】
以上のような構成の自動車１の遮音構造は、遮音性不利部分Ｘ２を介してフロアカーペット１４に伝達される空気振動を、吸音部材７の吸音効果と、吸音部材７による空気振動の拡散と、遮音空間Ｓ３の空気バネ効果との相乗効果によって安定して抑制することができる。
【０１０３】
従って、自動車１の遮音構造は、上述した実施例１と同様に、部品点数の増加を抑えた簡素な構成で、車内へ透過する透過音を抑制でき、特に車体底部１０の遮音性不利部分Ｘ２に対応する範囲の遮音性を向上することができる。
【０１０４】
また、フロアパネル４と、フロアパネル４に接合されて閉断面形状をなすクロスメンバ１１とで車体底部１０の遮音性有利部分Ｙ２を構成したことにより、自動車１の遮音構造は、クロスメンバ１１のマス効果と、クロスメンバ１１及びフロアパネル４で包囲された内部空間の空気バネ効果とによって、フロアカーペット１４に伝達される空気振動を抑制することができる。  
これにより、自動車１の遮音構造は、部品点数の増加を抑えた簡素な構成で、車体底部１０の遮音性有利部分Ｙ２に対応する範囲の遮音性を向上することができる。
【０１０５】
この発明の構成と、上述の実施形態との対応において、
この発明の隔壁部材は、実施形態の車体底部２，１０に対応し、
以下同様に、
内装部材は、フロアカーペット８，１４に対応し、
密閉連結部は、サイドシル３、クロスメンバ５，１１、及び密閉連結部１３に対応し、
所定空間は、遮音空間Ｓ２，Ｓ３に対応し、
パネル部材は、フロアパネル４に対応し、
突設部材は、サイドシル３、及びクロスメンバ５，１１に対応し、
内外方向は、車両上下方向に対応し、
内装当接部は、フロアカーペット８のカーペット底部８１に対応し、
内装装着部は、フロアカーペット８の上面部分８２ｂに対応し、
内装側壁部は、フロアカーペット８の側壁部分８２ａに対応し、
スペーサは、吸音スペーサ９に対応するが、
この発明は、上述の実施形態の構成のみに限定されるものではなく、多くの実施の形態を得ることができる。
【０１０６】
例えば、上述した実施例１において、フロアカーペット８のカーペット隆起部８２と、クロスメンバ５の側面５ｂと、吸音部材７とで囲われた包囲部分に、吸音スペーサ９を配置したが、これに限定せず、吸音スペーサ９を不要にしてもよい。この場合、フロアカーペット８の型崩れを防止するために、吸音スペーサ９にかえて弾性を有する弾性スペーサを配置してもよい。
【０１０７】
また、フロアカーペット８の側壁部分８２ａと、吸音部材７と、クロスメンバ５の側面５ｂとで囲われた包囲部分が、断面略矩形の閉断面形状となるようにカーペット隆起部８２を形成したが、これに限定せず、別の実施形態におけるＡ−Ａ矢視断面図を示す図６のように、側壁部分８２ａと、吸音部材７と、クロスメンバ５の側面５ｂとで囲われた包囲部分が、断面略三角形の閉断面形状となるように、カーペット隆起部を形成してもよい。
【０１０８】
また、フロアトンネル部４ａに沿った形状に形成された吸音部材７、及びフロアカーペット８としたが、これに限定せず、例えば、フロアトンネル部４ａ、一方のサイドシル３、及び一組のクロスメンバ５で囲われたフロアパネル４に対応する形状の吸音部材７としてもよい。
【０１０９】
この場合、フロアカーペット８におけるフロアトンネル部４ａの側面に対向する部分が、フロアトンネル部４ａの側面と離間した形状する。これにより、フロアトンネル部４ａの側面とフロアカーペット８との間に内部中空の空間を構成することができるため、上述した実施形態と同様の効果を奏することができる。
【０１１０】
また、吸音部材７の上面とフロアカーペット８との間における通気度が、所望される通気度になるように吸音スペーサ９を構成としたが、これに限定せず、吸音部材７の上面とフロアカーペット８との間における密閉度が、所望される密閉度となるように吸音スペーサ９を構成してもよい。なお、ここでの密閉度とは、全体の面積に対して空隙を除いた面積が占める割合とする。
【０１１１】
例えば、クロスメンバ５の上面５ａとフロアカーペット８の上面部分８２ｂとの間における密閉度が９７．１％以上の場合、吸音部材７の上面とフロアカーペット８との間における密閉度が、８４．４％より大きく９７．１％未満となるように吸音スペーサ９を構成してもよい。
【０１１２】
また、吸音部材７の上面とフロアカーペット８との間における通気度が、クロスメンバ５の上面５ａとフロアカーペット８の上面部分８２ｂとの間における通気度以上、吸音部材７の通気度以下となるように吸音スペーサ９で調整したが、これに限定せず、吸音部材７の上面とフロアカーペット８との間における通気度が、クロスメンバ５の上面５ａとフロアカーペット８の上面部分８２ｂとの間における通気度以上、吸音部材７の通気度以下なるのであれば、適宜の手段で調整してもよい。例えば、クロスメンバ５とフロアカーペット８との間隔を調整することで、吸音部材７の上面と遮音空間Ｓ２との間における通気度を所望される通気度に調整してもよい。
【０１１３】
また、上述した実施例２において、フロアパネル４とフロアカーペット１４との間に、吸音部材１２、遮音空間Ｓ３、及び密閉連結部１３が介在する構成としたが、これに限定せず、遮音空間Ｓ３に通気性、及び弾性を有するスペーサを配置してもよい。
【０１１４】
また、上述した実施例１及び実施例２において、車体底部２，１０における遮音構造として説明したが、これに限定せず、例えば、ドアやフェンダーなどの車体側面における遮音構造、あるいはボンネットやルーフなど車体上面における遮音構造であってもよい。
【０１１５】
この際、フロアカーペット８，１４にかえて、合成樹脂製のトリムのような剛性を有する部材で、車外と車内を隔てる隔壁部材を覆う構成としてもよい。このような構成であっても、上述した実施形態と同様の効果を奏することができる。なお、トリムの場合、実施例２における密閉連結部１３に替えて、トリムから突設した部分で、隔壁部材とトリムとの間を閉塞するようにしてもよい。
【０１１６】
また、断面略ハット状のクロスメンバ５，１１としたが、これに限定せず、フロアパネル４とで閉断面形状をなす形状であれば、適宜の形状としてもよい。例えば、内部がハニカム構造のクロスメンバであってもよい。
【符号の説明】
【０１１７】
１…自動車
２…車体底部
３…サイドシル
４…フロアパネル
５…クロスメンバ
７…吸音部材
８…フロアカーペット
９…吸音スペーサ
１０…車体底部
１１…クロスメンバ
１２…吸音部材
１３…密閉連結部
１４…フロアカーペット
８１…カーペット底部
８２ｂ…上面部分
８２ａ…側壁部分
Ｓ２…遮音空間
Ｓ３…遮音空間
Ｘ１…遮音性不利部分
Ｘ２…遮音性不利部分
Ｙ１…遮音性有利部分
Ｙ２…遮音性有利部分
【図１】
2017159675.tif 000003
【図２】
2017159675.tif 000004
【図３】
2017159675.tif 000005
【図４】
2017159675.tif 000006
【図５】
2017159675.tif 000007
【図６】
2017159675.tif 000008